【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
画像形成装置であって、
第１画像を形成する第１画像形成ユニットであって、当該第１画像形成ユニットは、第１の感光体と、前記第１の感光体を帯電する第１の帯電ユニットと、静電潜像を形成するため前記第１の感光体を露光する第１の露光ユニットと、第１の現像スリーブを有し当該第１の現像スリーブ上の第１色の現像剤を用いて前記第１の感光体上の前記静電潜像を現像する第１の現像ユニットとを含む、第１画像形成ユニットと、
第２画像を形成する第２画像形成ユニットであって、当該第２画像形成ユニットは、第２の感光体と、前記第２の感光体を帯電する第２の帯電ユニットと、静電潜像を形成するため前記第２の感光体を露光する第２の露光ユニットと、第２の現像スリーブを有し当該第２の現像スリーブ上の前記第１色と異なる第２色の現像剤を用いて前記第２の感光体上の前記静電潜像を現像する第２の現像ユニットとを含む、第２画像形成ユニットと、
前記第１画像と前記第２画像とがシートに転写される転写部と、
前記シートに形成されたテスト画像を読み取るセンサであって、当該テスト画像は、前記画像形成装置により画像が前記シートに形成されたときに生じるスジの原因箇所を検知するために用いられる、センサと、
コントローラであって、
前記第１画像形成ユニットと前記第２画像形成ユニットとによって、パターンを有するテスト画像を形成するように構成されており、前記テスト画像は、前記第１の現像スリーブの現像電位の絶対値が前記第１の感光体の帯電電位の絶対値より大きい第１画像形成条件に基づいて前記第１画像形成ユニットにより形成され、前記パターンは、前記第２の現像スリーブの現像電位の絶対値が前記第２の感光体の帯電電位の絶対値より小さい第２画像形成条件に基づいて前記第２画像形成ユニットにより形成され、
前記センサによって前記パターンを有する前記テスト画像を読み取る、コントローラと、を有することを特徴とする画像形成装置。
【請求項２】
請求項１に記載の画像形成装置であって、
前記コントローラは、さらに、前記第１画像形成ユニットと前記第２画像形成ユニットとによって、他のパターンを有する他のテスト画像を形成するように構成されており、
前記他のテスト画像は、前記第２の現像スリーブの現像電位の絶対値が前記第２の感光体の帯電電位の絶対値より大きい他の第２画像形成条件に基づいて前記第２画像形成ユニットにより形成され、
前記他のパターンは、前記第１の現像スリーブの現像電位の絶対値が前記第１の感光体の帯電電位の絶対値より小さい他の第１画像形成条件に基づいて前記第１画像形成ユニットにより形成されることを特徴とする画像形成装置。
【請求項３】
請求項１に記載の画像形成装置であって、
第３画像を形成する第３画像形成ユニットをさらに有し、
前記第３画像形成ユニットは、第３の感光体と、前記第３の感光体を帯電する第３の帯電ユニットと、静電潜像を形成するため前記第３の感光体を露光する第３の露光ユニットと、第３の現像スリーブを有し当該第３の現像スリーブ上の第３色の現像剤を用いて前記第３の感光体上の前記静電潜像を現像する第３の現像ユニットとを含み、
前記第３色は前記第１色と異なり、かつ前記第２色とも異なり、
前記コントローラは、前記第１画像形成ユニットと前記第３画像形成ユニットによって、他のパターンを有する他のテスト画像を形成するように構成されており、
前記他のテスト画像は、前記第１の帯電ユニットにより帯電せずに、前記第１の現像スリーブの現像電位の絶対値が前記第１の感光体の表面電位の絶対値より大きい他の第１画像形成条件に基づいて前記第１画像形成ユニットにより形成され、
前記他のパターンは、前記第３の現像スリーブの現像電位の絶対値が前記第３の感光体の帯電電位の絶対値より小さい第３画像形成条件に基づいて前記第３画像形成ユニットにより形成されることを特徴とする画像形成装置。
【請求項４】
請求項１に記載の画像形成装置であって、
第３画像を形成する第３画像形成ユニットをさらに有し、
前記第３画像形成ユニットは、第３の感光体と、前記第３の感光体を帯電する第３の帯電ユニットと、静電潜像を形成するため前記第３の感光体を露光する第３の露光ユニットと、第３の現像スリーブを有し当該第３の現像スリーブ上の第３色の現像剤を用いて前記第３の感光体上の前記静電潜像を現像する第３の現像ユニットとを含み、
前記第３色は前記第１色と異なり、かつ前記第２色とも異なり、
前記パターンは前記第２画像形成ユニットと前記第３画像形成ユニットにより形成された混色のパターンに対応しており、
前記混色のパターンは、前記第３の現像スリーブの現像電位の絶対値が前記第３の感光体の帯電電位の絶対値より小さい第３画像形成条件に基づいて前記第３画像形成ユニットにより形成されることを特徴とする画像形成装置。
【請求項５】
請求項１に記載の画像形成装置であって、
第３画像を形成する第３画像形成ユニットをさらに有し、
前記第３画像形成ユニットは、第３の感光体と、前記第３の感光体を帯電する第３の帯電ユニットと、静電潜像を形成するため前記第３の感光体を露光する第３の露光ユニットと、第３の現像スリーブを有し当該第３の現像スリーブ上の第３色の現像剤を用いて前記第３の感光体上の前記静電潜像を現像する第３の現像ユニットとを含み、
前記第３色は前記第１色と異なり、かつ前記第２色とも異なり、
前記コントローラは、前記第１画像形成ユニットと前記第３画像形成ユニットによって、他のパターンを有する他のテスト画像を形成するように構成されており、
前記他のテスト画像は、前記第３の現像スリーブの現像電位の絶対値が前記第３の感光体の帯電電位の絶対値より大きい第３画像形成条件に基づいて前記第３画像形成ユニットにより形成され、
前記他のパターンは、前記第１の現像スリーブの現像電位の絶対値が前記第１の感光体の帯電電位の絶対値より小さい他の第１画像形成条件に基づいて前記第１画像形成ユニットにより形成されることを特徴とする画像形成装置。
【請求項６】
請求項１に記載の画像形成装置であって、
第３画像を形成する第３画像形成ユニットをさらに有し、
前記第３画像形成ユニットは、第３の感光体と、前記第３の感光体を帯電する第３の帯電ユニットと、静電潜像を形成するため前記第３の感光体を露光する第３の露光ユニットと、第３の現像スリーブを有し当該第３の現像スリーブ上の第３色の現像剤を用いて前記第３の感光体上の前記静電潜像を現像する第３の現像ユニットとを含み、
前記第３色は前記第１色と異なり、かつ前記第２色とも異なり、
前記コントローラは、前記第１画像形成ユニットと前記第３画像形成ユニットによって、他のパターンを有する他のテスト画像を形成するように構成されており、
前記他のテスト画像は、前記第３の現像スリーブの現像電位の絶対値が前記第３の感光体の帯電電位の絶対値より大きい第３画像形成条件に基づいて前記第３画像形成ユニットにより形成され、
前記他のパターンは、前記第２の現像スリーブの現像電位の絶対値が前記第２の感光体の帯電電位の絶対値より小さい他の第２画像形成条件に基づいて前記第２画像形成ユニットにより形成されることを特徴とする画像形成装置。
【請求項７】
請求項１に記載の画像形成装置であって、
第３画像を形成する第３画像形成ユニットをさらに有し、
前記第３画像形成ユニットは、第３の感光体と、前記第３の感光体を帯電する第３の帯電ユニットと、静電潜像を形成するため前記第３の感光体を露光する第３の露光ユニットと、第３の現像スリーブを有し当該第３の現像スリーブ上の第３色の現像剤を用いて前記第３の感光体上の前記静電潜像を現像する第３の現像ユニットとを含み、
前記第３色は前記第１色と異なり、かつ前記第２色とも異なり、
前記コントローラは、前記第１画像形成ユニットと前記第３画像形成ユニットによって、他のパターンを有する他のテスト画像を形成するように構成されており、
前記他のテスト画像は、前記第３の帯電ユニットにより帯電せずに、前記第３の現像スリーブの現像電位の絶対値が前記第３の感光体の表面電位の絶対値より大きい第３画像形成条件に基づいて前記第３画像形成ユニットにより形成され、
前記他のパターンは、前記第１の現像スリーブの現像電位の絶対値が前記第１の感光体の帯電電位の絶対値より小さい他の第１画像形成条件に基づいて前記第１画像形成ユニットにより形成されることを特徴とする画像形成装置。
【請求項８】
請求項１に記載の画像形成装置であって、
第３画像を形成する第３画像形成ユニットをさらに有し、
前記第３画像形成ユニットは、第３の感光体と、前記第３の感光体を帯電する第３の帯電ユニットと、静電潜像を形成するため前記第３の感光体を露光する第３の露光ユニットと、第３の現像スリーブを有し当該第３の現像スリーブ上の第３色の現像剤を用いて前記第３の感光体上の前記静電潜像を現像する第３の現像ユニットとを含み、
前記第３色は前記第１色と異なり、かつ前記第２色とも異なり、
前記コントローラは、前記第１画像形成ユニットと前記第３画像形成ユニットによって、他のパターンを有する他のテスト画像を形成するように構成されており、
前記他のテスト画像は、前記第３の帯電ユニットにより帯電せずに、前記第３の現像スリーブの現像電位の絶対値が前記第３の感光体の表面電位の絶対値より大きい第３画像形成条件に基づいて前記第３画像形成ユニットにより形成され、
前記他のパターンは、前記第２の現像スリーブの現像電位の絶対値が前記第２の感光体の帯電電位の絶対値より小さい他の第２画像形成条件に基づいて前記第２画像形成ユニットにより形成されることを特徴とする画像形成装置。
【請求項９】
請求項１に記載の画像形成装置であって、
前記パターンと前記テスト画像との色差ΔＥ００は３．０以上であることを特徴とする画像形成装置。
【請求項１０】
請求項１に記載の画像形成装置であって、
前記パターンは、前記第１画像形成ユニットにより前記テスト画像が形成されたときに生じる画像不良を目立たなくするようなパターンであることを特徴とする画像形成装置。
【請求項１１】
請求項１に記載の画像形成装置であって、
前記パターンを有するテスト画像は、前記パターンが形成された領域と前記パターンが形成されていない領域とを含むことを特徴とする画像形成装置。
【請求項１２】
請求項１に記載の画像形成装置であって、
前記コントローラは、前記パターンを有するテスト画像の読取結果に基づいて前記原因箇所を検知するように構成されていることを特徴とする画像形成装置。
【請求項１３】
請求項１に記載の画像形成装置であって、
ディスプレイをさらに有し、
前記コントローラは、前記ディスプレイに前記検知された原因箇所を表示するように構成されていることを特徴とする画像形成装置。
【請求項１４】
画像形成装置であって、
第１画像を形成する第１画像形成ユニットであって、当該第１画像形成ユニットは、第１の感光体と、前記第１の感光体を帯電する第１の帯電ユニットと、静電潜像を形成するため前記第１の感光体を露光する第１の露光ユニットと、第１の現像スリーブを有し当該第１の現像スリーブ上の第１色の現像剤を用いて前記第１の感光体上の前記静電潜像を現像する第１の現像ユニットとを含む、第１画像形成ユニットと、
第２画像を形成する第２画像形成ユニットであって、当該第２画像形成ユニットは、第２の感光体と、前記第２の感光体を帯電する第２の帯電ユニットと、静電潜像を形成するため前記第２の感光体を露光する第２の露光ユニットと、第２の現像スリーブを有し当該第２の現像スリーブ上の前記第１色と異なる第２色の現像剤を用いて前記第２の感光体上の前記静電潜像を現像する第２の現像ユニットとを含む、第２画像形成ユニットと、
前記第１画像と前記第２画像とがシートに転写される転写部と、
前記シートに形成されたテスト画像を読み取るセンサであって、当該テスト画像は、前記画像形成装置により画像が前記シートに形成されたときに生じるスジの原因箇所を検知するために用いられる、センサと、
コントローラであって、
前記第１画像形成ユニットと前記第２画像形成ユニットとによって、パターンを有するテスト画像を形成するように構成されており、前記テスト画像は、前記第１の帯電ユニットにより帯電せずに、前記第１の現像スリーブの現像電位の絶対値が前記第１の感光体の表面電位の絶対値より大きい第１画像形成条件に基づいて前記第１画像形成ユニットにより形成され、前記パターンは、前記第２の現像スリーブの現像電位の絶対値が前記第２の感光体の帯電電位の絶対値より小さい第２画像形成条件に基づいて前記第２画像形成ユニットにより形成され、
前記センサによって前記パターンを有するテスト画像を読み取るように構成されたコントローラと、を有することを特徴とする画像形成装置。
【請求項１５】
請求項１４に記載の画像形成装置であって、
前記コントローラは、さらに、前記第１画像形成ユニットと前記第２画像形成ユニットとによって、他のパターンを有する他のテスト画像を形成するように構成されており、
前記他のテスト画像は、前記第２の帯電ユニットにより帯電せずに、前記第２の現像スリーブの現像電位の絶対値が前記第２の感光体の表面電位の絶対値より大きい他の第２画像形成条件に基づいて前記第２画像形成ユニットにより形成され、
前記他のパターンは、前記第１の現像スリーブの現像電位の絶対値が前記第１の感光体の帯電電位の絶対値より小さい他の第１画像形成条件に基づいて前記第１画像形成ユニットにより形成されることを特徴とする画像形成装置。
【請求項１６】
請求項１４に記載の画像形成装置であって、
前記パターンと前記テスト画像との色差ΔＥ００は３．０以上であることを特徴とする画像形成装置。
【請求項１７】
請求項１４に記載の画像形成装置であって、
前記パターンは、前記第１画像形成ユニットにより前記テスト画像が形成されたときに生じる画像不良を目立たなくするようなパターンであることを特徴とする画像形成装置。
【請求項１８】
請求項１４に記載の画像形成装置であって、
前記パターンを有するテスト画像は、前記パターンが形成された領域と前記パターンが形成されていない領域とを含むことを特徴とする画像形成装置。
【請求項１９】
請求項１４に記載の画像形成装置であって、
前記コントローラは、前記パターンを有する前記テスト画像の読取結果に基づいて前記原因箇所を検知するように構成されていることを特徴とする画像形成装置。
【請求項２０】
請求項１４に記載の画像形成装置であって、
ディスプレイをさらに有し、
前記コントローラは、前記ディスプレイに前記検知された原因箇所を表示するように構成されていることを特徴とする画像形成装置。
【手続補正２】
【補正対象書類名】明細書
【補正対象項目名】０００６
【補正方法】変更
【補正の内容】
【０００６】
本願発明は、たとえば、
第１画像を形成する第１画像形成ユニットであって、当該第１画像形成ユニットは、第１の感光体と、前記第１の感光体を帯電する第１の帯電ユニットと、静電潜像を形成するため前記第１の感光体を露光する第１の露光ユニットと、第１の現像スリーブを有し当該第１の現像スリーブ上の第１色の現像剤を用いて前記第１の感光体上の前記静電潜像を現像する第１の現像ユニットとを含む、第１画像形成ユニットと、
第２画像を形成する第２画像形成ユニットであって、当該第２画像形成ユニットは、第２の感光体と、前記第２の感光体を帯電する第２の帯電ユニットと、静電潜像を形成するため前記第２の感光体を露光する第２の露光ユニットと、第２の現像スリーブを有し当該第２の現像スリーブ上の前記第１色と異なる第２色の現像剤を用いて前記第２の感光体上の前記静電潜像を現像する第２の現像ユニットとを含む、第２画像形成ユニットと、
前記第１画像と前記第２画像とがシートに転写される転写部と、
前記シートに形成されたテスト画像を読み取るセンサであって、当該テスト画像は、前記画像形成装置により画像が前記シートに形成されたときに生じるスジの原因箇所を検知するために用いられる、センサと、
コントローラであって、
前記第１画像形成ユニットと前記第２画像形成ユニットとによって、パターンを有するテスト画像を形成するように構成されており、前記テスト画像は、前記第１の現像スリーブの現像電位の絶対値が前記第１の感光体の帯電電位の絶対値より大きい第１画像形成条件に基づいて前記第１画像形成ユニットにより形成され、前記パターンは、前記第２の現像スリーブの現像電位の絶対値が前記第２の感光体の帯電電位の絶対値より小さい第２画像形成条件に基づいて前記第２画像形成ユニットにより形成され、
前記センサによって前記パターンを有する前記テスト画像を読み取る、コントローラと、を有することを特徴とする画像形成装置を提供する。